(57)【要約】      （修正有）【課題】回転式モップの握りチューブ機構を上下に往復動することにより、モップヘッドを快速に回転してモップヘッドに設けられる条状布にある水を取り除くことができる回転式モップ組を提供する。【解決手段】回転式モップ２と、脱水装置３と、を含み、回転式モップは、回転チューブ機構２００と、握りチューブ機構１００と、モップヘッド３００と、を含み、回転チューブ機構は、回転チューブと、回転チューブの内側に設けられ螺旋状穴が設けられる伝動部材とよりなる。また、握りチューブ機構１００は、回転チューブに移動可能に嵌め設けられる握りチューブと、螺旋状ロッドと、を含み、螺旋状ロッドは、一端が握りチューブに固定され、他端が螺旋状穴に貫入して回転チューブに挿入され、モップヘッドは、回転チューブの下側に枢着され、脱水装置は、脱水円筒４００と、一端が脱水円筒に設けられる支持軸と、脱水篭６００と、を含む。【選択図】図１
0003167763.tif 000002
【実用新案登録請求の範囲】
【請求項１】
回転チューブ機構と、握りチューブ機構と、モップヘッドとを含む回転式モップであり：
前記回転チューブ機構は、回転チューブと、前記回転チューブに設けられた螺旋状の伝動部材とを含み、
前記握りチューブ機構は、前記回転チューブに対して移動可能に設けられる握りチューブと、前記伝動部材に螺旋係合する螺旋状ロッドとを含み、
前記握りチューブ機構を押下げ、前記螺旋係合により前記螺旋状ロッドが前記伝動部材を駆動して前記伝動部材がある回転方向に回転することによって、前記モップヘッドが回転して脱水篭内で脱水可能となる、回転式モップ。
【請求項２】
回転式モップと、脱水装置と、を含み、
前記回転式モップは、回転チューブ機構と、握りチューブ機構と、モップヘッドと、を含み、
前記回転チューブ機構は、回転チューブと、前記回転チューブの内側に設けられ螺旋状穴が設けられる伝動部材と、を含み、
前記握りチューブ機構は、前記回転チューブに移動可能に嵌め設けられる握りチューブと、螺旋状ロッドと、を含み、前記螺旋状ロッドは、一端が前記握りチューブに固定され、他端が前記螺旋状穴に貫入して前記回転チューブに挿入され、
前記モップヘッドは、前記回転チューブの下側に枢着され、
前記脱水装置は、脱水円筒と、一端が前記脱水円筒に設けられる支持軸と、脱水篭と、を含み、前記脱水篭は、前記脱水円筒内に設けられ、前記支持軸の他端に設けられ、前記モップヘッドを支持するためのものである回転式モップ組において、
前記脱水篭に前記モップヘッドを置いて前記握りチューブ機構を押下げているときには、前記螺旋状穴により前記螺旋状ロッドが前記伝動部材を駆動して前記伝動部材がある回転方向に回転し、ひいては前記回転チューブ機構と、前記モップヘッドと、前記脱水篭と、が前記回転方向に回転して、遠心力により前記モップヘッドにある水が取り除かれ、
前記握りチューブ機構を引上げているときには、前記回転チューブ機構と、前記モップヘッドと、前記脱水篭と、が前記回転方向に持続に回転することを特徴とする回転式モップ組。
【請求項３】
前記伝動部材は、
円形断面を有するチューブであり、その外壁面が前記回転チューブの内側に固定される片方向伝動子と、
前記片方向伝動子の内壁面に設けられ、前記片方向伝動子に対して片方向に回転可能であり、螺旋状穴が設けられる方向ガイド具と、
を含み、
前記握りチューブ機構を押下げているときには、前記螺旋状穴により前記螺旋状ロッドが前記方向ガイド具を駆動して前記方向ガイド具を前記回転方向に回転し、前記片方向伝動子が前記回転チューブを前記回転方向に回転することを特徴とする、請求項２に記載の回転式モップ組。
【請求項４】
前記片方向伝動子は片方向に回転可能な軸受であることを特徴とする、請求項３に記載の回転式モップ組。
【請求項５】
前記伝動部材は、
前記回転チューブの内側に固定され、規制収容チェンバーを有し、前記規制収容チェンバーが摩擦連動面を有する規制子と、
前記規制収容チェンバーに設けられ、方向ガイド工作面を有し、螺旋状穴が設けられる方向ガイド具と、
前記規制収容チェンバーに設けられ、前記方向ガイド具と前記摩擦連動面との間に位置し、前記方向ガイド工作面に隣接する上摩擦面と、前記摩擦連動面に隣接する底摩擦面と、を有する摩擦伝動子と、
を含み、
前記螺旋状ロッドは、規制子、方向ガイド具と伝動子を挿通し、前記握りチューブ機構を押下げているときには、前記螺旋状穴により、前記螺旋状ロッドは、前記方向ガイド具を駆動して前記方向ガイド具を前記回転方向に回転し、且つ前記方向ガイド具を下へ押出し、前記上摩擦面と前記方向ガイド工作面とが摩擦力を発生し、前記底摩擦面と前記摩擦連動面とが摩擦力を発生し、ひいては前記規制子が前記回転方向に回転し、前記握りチューブ機構を引上げているときには、前記螺旋状穴により、前記螺旋状ロッドが前記方向ガイド具を引上げて、前記方向ガイド具が前記摩擦伝動子から分離することを特徴とする、請求項２に記載の回転式モップ組。
【請求項６】
前記摩擦伝動子は円錐状を呈するリングであることを特徴とする、請求項２に記載の回転式モップ組。
【請求項７】
前記モップヘッドは、
円盤状を呈するモップ円盤固定子と、
前記モップ円盤固定子の上面と、前記回転チューブの下側とに枢着される枢着子と、
円盤状を呈し、前記モップ円盤固定子の下側に脱着可能に組合せられるモップ円盤と、
互いに距離を置いて前記モップ円盤に結合される複数の条状布ビームと、
を含むことを特徴とする、請求項２に記載の回転式モップ組。
【請求項８】
更に、ロック機構を含み、前記ロック機構は、前記回転チューブと前記握りチューブとをロックし、前記回転チューブと前記握りチューブとの相対な移動および回転を防止できることを特徴とする、請求項２に記載の回転式モップ組。
【請求項９】
前記脱水円筒の内部は、収容空間と、組付空間と、を有し、仕切子により前記収容空間と前記組付空間とが仕切られ、前記脱水円筒は前記組付空間に設けられる支持台座を含み、前記支持軸は、一端が前記支持台座に設けられ、他端が前記仕切子を挿通して前記収容空間に至ることを特徴とする、請求項２に記載の回転式モップ組。
【請求項１０】
前記支持軸は、一端が前記支持台座に枢着され、他端が前記脱水篭に固定され、支持玉が前記支持軸と前記支持台座との間に位置し、前記支持玉により前記支持軸と前記支持台座との摩擦力が減少することを特徴とする、請求項９に記載の回転式モップ組。
【請求項１１】
前記脱水円筒は、
脱水開口と洗濯開口とが設けられ、前記脱水篭が前記脱水開口に近接する箇所に設けられる脱水円筒本体と、
前記脱水開口と前記洗濯開口との間に設けられ、前記脱水篭の一側に近接し、前記モップヘッドにある水が前記洗濯開口を経由して前記脱水円筒の外部に振出されることを防止するためのものである水遮り板と、
を含むことを特徴とする、請求項２に記載の回転式モップ組。
【考案の詳細な説明】
【技術分野】
【０００１】
本考案は、回転式モップ組に関し、特に、回転式モップの握りチューブ機構を押下げると、モップヘッドの回転による遠心力によりモップヘッドに設けられる条状布を脱水できる回転式モップ組に関するものである。
【背景技術】
【０００２】
環境を清潔するために、モップを清潔道具として利用することが一般である。従来のモップは、握りチューブと、前記握りチューブの一端に結合されるモップヘッドと、から構成される。モップヘッドを水に付けて湿せると、床面を清潔することができ、この後、汚れられたモップヘッドを洗濯して絞った後、床面を継続に清潔することができる。しかし、手でモップヘッドに設けられる条状布を絞る方法によれば、ユーザが極めて苦労であり、衛生面での配慮もある。床面の清潔を迅速で容易にするために、従来のものと異なるモップ及び脱水方法が開発された。
【０００３】
その一つ目の方法は、水筒の上に脱水篭を設けて、前記脱水篭にモップヘッドを入れて回転しながら絞ることにより、条状布にある水を取り除く。このような方法によれば、条状布にある水を取り除く効率が悪く、ユーザが極めて苦労である問題があった。
【０００４】
その二つ目の方法は、水筒の上に絞り装置を設けて、モップヘッドに設けられる条状布を前記絞り装置の間に入れて、ユーザの足が前記絞り装置のペダルを踏込みながらユーザの手がモップを引上げることが必要である。このような方法によれば、操作プロセスが複雑であり、操作の過程中にユーザの重心が不安定になってユーザが倒れる危険性がある問題があった。
【０００５】
その三つ目の方法は、回転式脱水円筒の脱水篭にモップヘッドを入れて、前記回転式脱水円筒のペダルを踏込むことにより、前記脱水篭の回転による遠心力によりモップヘッドに設けられる条状布を脱水できる。このような方法によれば、省力で迅速に脱水できるが、前記脱水円筒の構成が極めて複雑であるため、生産コストが増加し、且つ操作の過程中にユーザの重心が不安定になってユーザが倒れる危険性がある問題があった。
【考案の概要】
【考案が解決しようとする課題】
【０００６】
本考案の主な目的は、脱水装置の脱水篭にモップヘッドを入れて、回転式モップの握りチューブ機構を上下に往復動することにより、モップヘッドを快速に回転してモップヘッドに設けられる条状布にある水を取り除くことができる回転式モップ組を提供することにある。
【課題を解決するための手段】
【０００７】
本考案の回転式モップ組によると、回転式モップと、脱水装置と、を含み、
前記回転式モップは、回転チューブ機構と、握りチューブ機構と、モップヘッドと、を含み、
前記回転チューブ機構は、回転チューブと、前記回転チューブの内側に設けられ螺旋状穴が設けられる伝動部材と、を含み、
前記握りチューブ機構は、前記回転チューブに移動可能に嵌め設けられる握りチューブと、螺旋状ロッドと、を含み、前記螺旋状ロッドは、一端が前記握りチューブに固定され、他端が前記螺旋状穴に貫入して前記回転チューブに挿入され、
前記モップヘッドは、前記回転チューブの下側に枢着され、
前記脱水装置は、脱水円筒と、一端が前記脱水円筒に設けられる支持軸と、脱水篭と、を含み、前記脱水篭は、前記脱水円筒内に設けられ、前記支持軸の他端に設けられ、前記モップヘッドを支持するためのものである回転式モップ組において、
前記脱水篭に前記モップヘッドを置いて前記握りチューブ機構を押下げているときには、前記螺旋状穴により前記螺旋状ロッドが前記伝動部材を駆動して前記伝動部材がある回転方向に回転し、ひいては前記回転チューブ機構と、前記モップヘッドと、前記脱水篭と、が前記回転方向に回転して、遠心力により前記モップヘッドにある水が取り除かれ、
前記握りチューブ機構を引上げているときには、前記回転チューブ機構と、前記モップヘッドと、前記脱水篭と、が前記回転方向に持続に回転することを特徴とする。
【０００８】
本考案の回転式モップ組によると、前記伝動部材は、
円形断面を有するチューブであり、その外壁面が前記回転チューブの内側に固定される片方向伝動子と、
前記片方向伝動子の内壁面に設けられ、前記片方向伝動子に対して片方向に回転可能であり、螺旋状穴が設けられる方向ガイド具と、
を含み、
前記握りチューブ機構を押下げているときには、前記螺旋状穴により前記螺旋状ロッドが前記方向ガイド具を駆動して前記方向ガイド具を前記回転方向に回転し、前記片方向伝動子が前記回転チューブを前記回転方向に回転することを特徴とする。
【０００９】
本考案の回転式モップ組によると、前記片方向伝動子は片方向に回転可能な軸受であることを特徴とする。
【００１０】
本考案の回転式モップ組によると、前記伝動部材は、
前記回転チューブの内側に固定され、規制収容チェンバーを有し、前記規制収容チェンバーが摩擦連動面を有する規制子と、
前記規制収容チェンバーに設けられ、方向ガイド工作面を有し、螺旋状穴が設けられる方向ガイド具と、
前記規制収容チェンバーに設けられ、前記方向ガイド具と前記摩擦連動面との間に位置し、前記方向ガイド工作面に隣接する上摩擦面と、前記摩擦連動面に隣接する底摩擦面と、を有する摩擦伝動子と、
を含み、
前記螺旋状ロッドは、規制子、方向ガイド具と伝動子を挿通し、前記握りチューブ機構を押下げているときには、前記螺旋状穴により、前記螺旋状ロッドは、前記方向ガイド具を駆動して前記方向ガイド具を前記回転方向に回転し、且つ前記方向ガイド具を下へ押出し、前記上摩擦面と前記方向ガイド工作面とが摩擦力を発生し、前記底摩擦面と前記摩擦連動面とが摩擦力を発生し、ひいては前記規制子が前記回転方向に回転し、前記握りチューブ機構を引上げているときには、前記螺旋状穴により、前記螺旋状ロッドが前記方向ガイド具を引上げて、前記方向ガイド具が前記摩擦伝動子から分離することを特徴とする。
【００１１】
本考案の回転式モップ組によると、前記摩擦伝動子は円錐状を呈するリングであることを特徴とする。
【００１２】
本考案の回転式モップ組によると、前記モップヘッドは、
円盤状を呈するモップ円盤固定子と、
前記モップ円盤固定子の上面と、前記回転チューブの下側とに枢着される枢着子と、
円盤状を呈し、前記モップ円盤固定子の下側に脱着可能に組合せられるモップ円盤と、
互いに距離を置いて前記モップ円盤に結合される複数の条状布ビームと、
を含むことを特徴とする。
【００１３】
本考案の回転式モップ組によると、更に、ロック機構を含み、前記ロック機構は、前記回転チューブと前記握りチューブとをロックし、前記回転チューブと前記握りチューブとの相対な移動および回転を防止できることを特徴とする。
【００１４】
本考案の回転式モップ組によると、前記脱水円筒の内部は、収容空間と、組付空間と、を有し、仕切子により前記収容空間と前記組付空間とが仕切られ、前記脱水円筒は前記組付空間に設けられる支持台座を含み、前記支持軸は、一端が前記支持台座に設けられ、他端が前記仕切子を挿通して前記収容空間に至ることを特徴とする。
【００１５】
本考案の回転式モップ組によると、前記支持軸は、一端が前記支持台座に枢着され、他端が前記脱水篭に固定され、支持玉が前記支持軸と前記支持台座との間に位置し、前記支持玉により前記支持軸と前記支持台座との摩擦力が減少することを特徴とする。
【００１６】
本考案の回転式モップ組によると、前記脱水円筒は、
脱水開口と洗濯開口とが設けられ、前記脱水篭が前記脱水開口に近接する箇所に設けられる脱水円筒本体と、
前記脱水開口と前記洗濯開口との間に設けられ、前記脱水篭の一側に近接し、前記モップヘッドにある水が前記洗濯開口を経由して前記脱水円筒の外部に振出されることを防止するためのものである水遮り板と、
を含むことを特徴とする。
【考案の効果】
【００１７】
本考案の回転式モップ組によるによれば、次のような効果がある。
（１）構成が簡素であるため、生産コストを減少できる。
【００１８】
（２）回転式モップの握りチューブ機構を上下に往復動することにより、モップヘッドを快速に回転してモップヘッドに設けられる条状布にある水を取り除くことができ、利用が極めて省力で便利である。
【００１９】
（３）操作プロセスが簡単になり、操作の過程中にユーザの重心が不安定になってユーザが倒れる危険性は全くない。
【図面の簡単な説明】
【００２０】
【図１】本考案の回転式モップ組の組合済み状態の斜視図である。
【図２】本考案の回転式モップの第１実施例の分解斜視図である。
【図３】本考案の回転式モップの第１実施例の一部の断面図である。
【図４】本考案の脱水装置の分解斜視図である。
【図５】本考案の脱水装置の断面図である。
【図６】本考案の回転式モップ組の使用状態を示す模式図である。
【図７】本考案の回転式モップ組の使用状態を示す模式図である。
【図８】本考案の回転式モップの第２実施例の一部の断面図である。
【図９】本考案の回転式モップの第２実施例の一部の断面図である。
【図１０】本考案の回転式モップの一部の断面図である。
【図１１】本考案の回転式モップの使用状態を示す模式図である。
【図１２】本考案の条状布ビームをモップ円盤に組合せた状態を示す模式図である。
【図１３】本考案のモップ円盤をモップ円盤固定子に組合せた状態を示す模式図である。
【考案を実施するための最良の形態】
【００２１】
以下、本考案の実施の形態を図面に基づいて説明する。
（第１実施例）
まず、図１を参照する。図１は本考案の回転式モップ組の組合済み状態の斜視図である。本考案の回転式モップ組１は、回転式モップ２と、脱水装置３と、を含む。回転式モップ２は、握りチューブ機構１００と、回転チューブ機構２００と、モップヘッド３００と、ロック機構７００と、を含む。握りチューブ機構１００は回転チューブ機構２００に移動可能に嵌め設けられる。モップヘッド３００は回転チューブ機構２００の下側に枢着される。
【００２２】
ロック機構７００は、握りチューブ機構１００と回転チューブ機構２００とに嵌め設けられる。回転式モップ２により床面を清潔しているときには、ロック機構７００により握りチューブ機構１００と回転チューブ機構２００との相対な上下動および回転を防止できる。ユーザは握りチューブ機構１００及び/又は回転チューブ機構２００を握ってモップヘッド３００を床面に移動できる。モップヘッド３００が回転チューブ機構２００に枢着されるため、握りチューブ機構１００が床面に対して傾斜しても、モップヘッド３００は床面に全面的に接触できる。
【００２３】
脱水装置３は、脱水円筒４００と、脱水篭６００と、を含む。モップヘッド３００を脱水したいときには、脱水篭６００にモップヘッド３００を置いて、握りチューブ機構１００を上下に往復動することにより、モップヘッド３００を快速に回転してモップヘッドに設けられる条状布にある水を取り除くことができる。これにより、本考案の回転式モップ組１によりモップヘッド３００を脱水したいときには、ユーザは一つの手で握りチューブ機構１００を握って上下に往復動すると、モップヘッド３００を快速に回転してモップヘッド３００に設けられる条状布にある水を取り除くことができ、利用が極めて省力で便利である。
【００２４】
図２及び図３を参照する。図２は本考案の回転式モップの第１実施例の分解斜視図であり、図３は本考案の回転式モップの第１実施例の一部の断面図である。握りチューブ機構１００は、延び方向Ｄ１に沿って延び、チューブ状を呈し、握りチューブ１１０と、螺旋状ロッド１３０と、ロッド保護子１４０と、を含む。握りチューブ１１０は、延び方向Ｄ１に沿って延びるチューブである。本実施例では、握りチューブ１１０は、第１握りチューブ１１１と、連接子１１２と、第２握りチューブ１１３と、を含む。連接子１１２により第１握りチューブ１１１と第２握りチューブ１１３とが連接され、このような構成によれば、回転式モップ２の収納および運搬の体積を減少できる。
【００２５】
螺旋状ロッド１３０は、金属製のロッドであり、その周面に螺旋が設けられ、その上端がロッド固定子１２０を介して握りチューブ１１０の内側に固定される。ロッド固定子１２０は、握りチューブ１１０、或いは螺旋状ロッド１３０と一体成形してもよい。螺旋状ロッド１３０の下端にロッド保護子１４０が設けられる。ロッド保護子１４０は、樹脂製品であり、螺旋状ロッド１３０の握りチューブ１１０の内壁面との接触を防止するためのものである。
【００２６】
回転チューブ機構２００は、回転チューブ２１０と、伝動部材２２０と、を含む。回転チューブ２１０は、チューブ状を呈し、延び方向Ｄ１に沿って延び、その下端がモップヘッド３００に枢着される。握りチューブ１１０は回転チューブ２１０に移動可能に嵌め設けられる。
【００２７】
伝動部材２２０は、回転チューブ２１０の内側に固定され、螺旋状穴２２６を有する。伝動部材２２０は、図３に示すように、片方向伝動子２２１と、方向ガイド具２２５と、を含む。
【００２８】
片方向伝動子２２１は、円形断面を有するチューブであり、外壁面２２２と、内壁面２２３と、を有する。片方向伝動子２２１は、その外壁面２２２が回転チューブ２１０の上端の内側に固定され、片方向に回転可能な軸受であるため、片方向伝動子２２１の内壁面２２３が回転軸ＡＸ１を中心として外壁面２２２に対して片方向に回転できる。片方向伝動子２２１の内部構造とその回転メカニズムは周知の技術であるため、説明を省略した。
【００２９】
方向ガイド具２２５は、円柱状を呈し、片方向伝動子２２１の内壁面２２３に固定され、片方向伝動子２２１の外壁面２２２に対して片方向に回転できる。すなわち、方向ガイド具２２５は回転軸ＡＸ１を中心として回転チューブ２１０に対して片方向に回転できる。方向ガイド具２２５には、回転軸ＡＸ１に沿って延びる螺旋状穴２２６が設けられる。螺旋状穴２２６の内壁面に螺旋が設けられる。螺旋状ロッド１３０は、一端が握りチューブ１１０に固定され、他端が螺旋状穴２２６に貫入して回転チューブ２１０に挿入される。螺旋状ロッド１３０が下に移動しているときには、螺旋状ロッド１３０の螺旋の壁面が螺旋状穴２２６の内壁面を駆動して方向ガイド具２２５を回転する。
【００３０】
本実施例では、伝動部材２２０が伝動固定子２２７を含む。片方向伝動子２２１は伝動固定子２２７を介して回転チューブ２１０に固定される。別の本実施例では、伝動部材２２０が片方向伝動子２２１を含まず、片方向伝動子２２１が回転チューブ２１０と一体成形する。
【００３１】
ロック機構７００は、ロック子７１０と、ロックスリーブ７２０と、を含む。ロック子７１０とロックスリーブ７２０とはチューブ状を呈する。ロック子７１０は、握りチューブ１１０の外側に固定され、回転チューブ２１０の外側に延びる。ロックスリーブ７２０はロック子７１０に螺着される。ロック子７１０にロックスリーブ７２０を締付けるときには、ロック子７１０が圧迫されて握りチューブ１１０と回転チューブ２１０とをロックし、これにより、握りチューブ１１０と回転チューブ２１０との相対な移動および回転を防止できる。
【００３２】
図４及び図５を参照する。図４は本考案の脱水装置の分解斜視図であり、図５は本考案の脱水装置の断面図である。脱水装置３は、脱水円筒４００と、支持軸部材５００と、脱水篭６００と、を含む。脱水円筒４００は、脱水円筒本体４１０と、支持台座４２０と、ハンドル４３０と、水遮り板４４０と、保護リング４５０と、を含む。脱水円筒本体４１０には、収容空間４１１と、組付空間４１２と、が設けられ、仕切子４１３により収容空間４１１と組付空間４１２とが仕切られる。支持台座４２０は組付空間４１２の底部に設けられる。ハンドル４３０は、脱水円筒本体４１０の上側に枢着され、脱水装置３全体の引上げを可能にするためのものである。
【００３３】
保護リング４５０は、環状を呈し、脱水円筒本体４１０の上部に設けられる。保護リング４５０により、脱水円筒本体４１０の上部には、脱水開口４１４と、洗濯開口４１４と、が設けられる（図１を参照してもよい）。脱水篭６００は、保護リング４５０の下側に設けられ、脱水開口４１４に近接する。脱水開口４１４は、円形断面を有し、その直径が脱水篭６００の直径よりも小さい。脱水開口４１４により、快速に回転している脱水篭６００の脱水円筒本体４１０からの脱出を防止できる。別の実施例では、保護リング４５０が脱水円筒本体４１０と一体成形する。
【００３４】
水遮り板４４０は、保護リング４５０、或いは脱水円筒本体４１０の内壁面に設けられ、すなわち、脱水開口４１４と洗濯開口４１５との間に設けられ、脱水篭６００の一側に近接する。水遮り板４４０により、モップヘッド３００にある水が洗濯開口４１５を経由して脱水円筒４００の外部に振り出されることを防止できる。また、図５に示すように、水遮り板４４０と仕切子４１３との間に隙間が存在するため、モップヘッド３００から振り出される水は、水遮り板４４０に到達して、水遮り板４４０と仕切子４１３との間にある隙間を経由して脱水円筒本体４１０の底部に流入する。
【００３５】
支持軸部材５００は、支持軸５１０と、支持玉５１１と、を含む。支持軸５１０は、一端が脱水円筒４００の支持台座４２０に枢着され、他端が仕切子４１３を挿通して収容空間４１１に至って脱水篭６００に固定される。支持玉５１１は、支持軸５１０と支持台座４２０との間に設けられ、支持軸５１０と支持台座４２０との摩擦力を減少するためのものである。脱水篭６００は、脱水円筒４００内に設けられ、支持軸５１０の他端に設けられ、モップヘッド３００を支持するためのものである。
【００３６】
別の実施例では、支持軸５１０は、一端が支持台座４２０に固定され、他端が脱水篭６００に枢着される。更に別の実施例では、仕切子４１３と組付空間４１２とが含まない。支持軸部材５００は脱水円筒本体４１０の底部に設けられる。
【００３７】
上記の説明から明らかなように、本考案の脱水装置３によれば、構造が簡素であるため、従来のものに比べて、生産コストが減少する。
【００３８】
図３、図６及び図７を参照する。図６及び図７は本考案の回転式モップ組の使用状態を示す模式図である。
【００３９】
図６に示すように、モップヘッド３００を脱水したいときには、まず、脱水篭６００にモップヘッド３００を置いて、握りチューブ機構１００を引上げて押下げ方向Ｄ１に沿って押下げると、螺旋状ロッド１３０が押下げ方向Ｄ１に沿って移動する。すなわち、図３に示すように、螺旋状ロッド１３０は、方向ガイド具２２５に対して下に移動して、螺旋状穴２２６により方向ガイド具２２５が駆動されて、方向ガイド具２２５が回転軸ＡＸ１を中心として回転方向Ｒ１に回転する。このとき、方向ガイド具２２５の回転により片方向伝動子２２１の内壁面２２３が回転方向Ｒ１に回転し、ひいては回転チューブ２１０も回転方向Ｒ１に回転する。片方向伝動子２２１は片方向に回転可能な軸受であるため、外壁面２２２も回転方向Ｒ１に回転する。
【００４０】
これにより、脱水篭６００にモップヘッド３００を置いて握りチューブ機構１００を押下げているときには、螺旋状穴２２６により螺旋状ロッド１３０が伝動部材２２０を駆動して伝動部材２２０が回転方向Ｒ１に回転し、ひいては回転チューブ機構２００と、モップヘッド３００と、脱水篭６００と、が回転方向Ｒ１に回転して、遠心力によりモップヘッド３００にある水が取り除かれる。
【００４１】
図７を参照する。引上げ方向Ｄ３に沿って握りチューブ１１０を引上げているときには、螺旋状ロッド１３０は、方向ガイド具２２５に対して上に移動して、螺旋状穴２２６により方向ガイド具２２５が駆動されて回転軸ＡＸ１を中心として回転方向Ｒ１の反対方向に回転する。引上げ方向Ｄ３は押下げ方向Ｄ１の反対方向であってもよい。片方向伝動子２２１は、図３に示すように、片方向に回転可能な軸受であるため、外壁面２２２と内壁面２２３とが互いに反対方向に回転可能であり、回転チューブ２１０を駆動することができなくなる。慣性により、回転チューブ機構２００と、モップヘッド３００と、脱水篭６００とは回転方向Ｒ１に持続に回転する。
【００４２】
これにより、ユーザは一つの手で握りチューブ１１０を握って上下に往復動することにより、モップヘッド３００を快速に回転することができ、脱水装置３を利用せず、モップヘッド３００に設けられる条状布にある水を取り除くことができ、利用が極めて省力で便利である。そしてユーザが回転軸ＡＸ１に沿って回転式モップ２と脱水装置３とに力を加えるため、ユーザの重心が極めて安定であり、脱水円筒４００を倒れる危険性がない。
【００４３】
（第２実施例）
図８を参照する。図８は本考案の回転式モップの第２実施例の一部の断面図である。本実施例の第１実施例と相違する点は、伝動部材の構造だけが異なり、その他の部分が同じであるため、説明を省略した。
【００４４】
伝動部材８００は、規制子８１０と、方向ガイド具８２０と、摩擦伝動子８３０と、を含む。規制子８１０は、円柱状を呈し、その外壁面が回転チューブ２１０の内側に固定され、貫通孔８１１と、規制収容チェンバー８１２と、を有する。規制収容チェンバー８１２の底部に摩擦連動面８１３が設けられる。貫通孔８１１は回転軸ＡＸ１に沿って規制子８１０を貫通する。規制収容チェンバー８１２は、規制子８１０内に設けられ、貫通孔８１１と連通する。方向ガイド具８２０は、円柱状を呈し、規制収容チェンバー８１２内に設けられる。方向ガイド具８２０には、回転軸ＡＸ１に沿う螺旋状穴８２１が設けられる。螺旋状穴８２１の内壁面に螺旋が設けられる。方向ガイド具８２０は方向ガイド工作面８２２を有する。
【００４５】
摩擦伝動子８３０は、規制収容チェンバー８１２内に設けられ、方向ガイド具８２０と摩擦連動面８１３との間に位置する。摩擦伝動子８３０には、回転軸ＡＸ１に沿う伝動貫通孔８３１が設けられる。摩擦伝動子８３０は、樹脂製品、或いはゴム製品である。摩擦伝動子８３０は、上摩擦面８３２と、底摩擦面８３３と、を有する。摩擦伝動子８３０が規制子８１０と方向ガイド具８２０とに圧力を加えているときには、規制子８１０と方向ガイド具８２０が摩擦力を発生する。
【００４６】
本実施例では、摩擦伝動子８３０が円錐状を呈するリングである。方向ガイド工作面８２２は円錐凸面であり、上摩擦面８３２が方向ガイド工作面８２２に合せ可能な円錐凹面である。底摩擦面８３３は円錐凸面であり、摩擦連動面８１３が底摩擦面８３３に合せ可能な円錐凹面である。これにより、規制子８１０、方向ガイド具８２０と摩擦伝動子８３０の接触面積および摩擦力を増加できる。螺旋状ロッド１３０は、規制子８１０の貫通孔８１１と、方向ガイド具８２０の螺旋状穴８２１と、摩擦伝動子８３０の伝動貫通孔８３１と、を挿通する。
【００４７】
図８に示すように、握りチューブ機構１００を押下げ方向Ｄ１に沿って押下げているときには、螺旋状ロッド１３０は、螺旋状穴８２１により方向ガイド具８２０が駆動されて回転方向Ｒ１に回転し、且つ押下げ方向Ｄ１に沿って摩擦伝動子８３０に押付ける。方向ガイド具８２０は、規制子８１０に対して下に移動して、離間距離Ｌ１で規制収容チェンバー８１２の上部から離間する。これにより、摩擦伝動子８３０の上摩擦面８３２と規制子８１０とが摩擦力を発生し、底摩擦面８３３と方向ガイド具８２０とが摩擦力を発生し、ひいては規制子８１０が駆動されて回転方向Ｒ１に回転して、回転チューブ機構２００と、モップヘッド３００と、脱水篭６００と、が回転方向Ｒ１に持続に回転する。
【００４８】
図９を参照する。握りチューブ機構１００を引上げ方向Ｄ３に沿って引上げているときには、螺旋状ロッド１３０は、螺旋状穴８２１により方向ガイド具８２０が駆動されて引上げ方向Ｄ３に沿って引上げられて規制収容チェンバー８１２の上部に到達し、これにより、方向ガイド具８２０が摩擦伝動子８３０から分離する。これにより、螺旋状ロッド１３０を引上げているときには、螺旋状穴８２１により方向ガイド具８２０が回転方向Ｒ１の反対方向に回転し、摩擦伝動子８３０と規制子８１０とを駆動しなくなる。慣性により、回転チューブ機構２００と、モップヘッド３００と、脱水篭６００とは回転方向Ｒ１に持続に回転する。
【００４９】
図２及び図１０を参照する。図１０は本考案の回転式モップ２の一部の断面図である。モップヘッド３００は、図１３に示すように、回転チューブ２１０の下側に枢着され、モップ円盤固定子３１０と、枢着子３２０と、規制蓋３３０と、複数の条状布ビーム３５０と、を含む。
【００５０】
モップ円盤固定子３１０は、円盤状を呈し、その上側の中心に枢着溝３１１が設けられる。枢着溝３１１は環状溝でもよい。枢着子３２０は、モップ円盤固定子３１０の上面と、回転チューブ２１０の下側とに枢着される。枢着子３２０は、チューブ枢着部３２１と、円形枢着部３２２と、を含む。チューブ枢着部３２１は円形枢着部３２２の上側から延びる。チューブ枢着部３２１の上側には、複数の定位溝３２３が環状に配列される。円形枢着部３２２は、円盤状を呈し、枢着溝３１１に収容される。
【００５１】
規制蓋３３０は枢着溝３１１を被る。チューブ枢着部３２１は、規制蓋３３０を挿通して回転チューブ２１０に枢着される。すなわち、規制蓋３３０により、円形枢着部３２２は規制されて枢着溝３１１の内部だけに回転できる。
【００５２】
モップ円盤３４０は、円盤状を呈し、モップ円盤固定子３１０の下側に脱着可能に組み付けられ、複数の条状布穴３４１を有する。これらの条状布穴３４１は、図２に示すように、互いに距離を置いてモップ円盤３４０のエッジに配列される。条状布穴３４１に条状布ビーム３５０を組付けることができる。条状布穴３４１の下側の内壁面には、環状を呈する括りブロック３４２が設けられる。これにより、図１１に示すように、本考案の回転式モップ２のモップヘッド３００は握りチューブ機構１００と回転チューブ機構２００とに対して回転できる。
【００５３】
回転チューブ機構２００は、更に、弾性付き規制子２３０を含む。弾性付き規制子２３０は、回転チューブ２１０の一端の内側に設けられ、弾性子２３１と、玉２３２と、を含む。弾性子２３１は、バネでもよく、一端が回転チューブ２１０の一端の内側に固定され、他端が玉２３２に押付ける。弾性子２３１の付勢により、玉２３２はモップヘッド３００の枢着子３２０に押付ける。本考案の回転式モップ２のモップヘッド３００は、図１１に示すように、握りチューブ機構１００と回転チューブ機構２００とに対して傾斜できる。握りチューブ機構１００と回転チューブ機構２００とに対してモップヘッド３００を傾斜するときには、玉２３２が枢着子３２０の定位溝３２３に押付けると、モップヘッド３００の握りチューブ機構１００と回転チューブ機構２００とに対する傾斜角度を定位でき、本考案の回転式モップ２の利用が便利になる。
【００５４】
図１２を参照する。図１２は本考案の条状布ビームをモップ円盤に組合せた状態を示す模式図である。条状布ビーム３５０は複数の条状布から構成される。モップ円盤３４０に条状布ビーム３５０を組合せたいときには、屈折部３５１を形成するように条状布ビーム３５０を湾折する。条状布ビーム３５０が弾性を有するため、湾折された条状布ビーム３５０の幅は条状布ビーム３５０の湾折されていない状態での幅よりも大きい。条状布ビーム３５０が括りブロック３４２を経由して条状布穴３４１に詰め込まれると、括りブロック３４２により条状布ビーム３５０が条状布穴３４１に係合される。そうすると、モップ円盤３４０に条状布ビーム３５０を容易に組付けることができる。
【００５５】
条状布ビーム３５０が組付けられたモップ円盤３４０は、図１３に示すように、モップ円盤固定子３１０の下側に組付けることができる。本考案のモップ円盤３４０がモップ円盤固定子３１０に脱着可能に組付けられるため、回転式モップ２にある条状布ビーム３５０が汚れられたときには、モップ円盤固定子３１０からモップ円盤３４０を取外して、モップ円盤固定子３１０に新品のモップ円盤３４０を組付けることができる。そうすると、回転式モップ２の保全コストを大幅に減少できる。
【００５６】
なお、本考案は前記実施の形態に限定されるものではなく、本考案の趣旨に基づいて種々変形させることが可能であり、それらを本考案の実用新案登録請求の範囲から排除するものではない。
【符号の説明】
【００５７】
１：回転式モップ組
２：回転式モップ
３：脱水装置
１００：握りチューブ機構
１１０：握りチューブ
１１１：第１握りチューブ
１１２：連接子
１１３：第２握りチューブ
１２０：ロッド固定子
１３０：螺旋状ロッド
１４０：ロッド保護子
２００：回転チューブ機構
２１０：回転チューブ
２２０：伝動部材
２２１：片方向伝動子
２２２：外壁面
２２３：内壁面
２２５：方向ガイド具
２２６：螺旋状穴
２２７：伝動固定子
２３０：弾性付き規制子
２３１：弾性子
２３２：玉
３００：モップヘッド
３１０：モップ円盤固定子
３１１：枢着溝
３２０：枢着子
３２１：チューブ枢着部
３２２：円形枢着部
３２３：定位溝
３３０：規制蓋
３４０：モップ円盤
３４１：条状布穴
３４２：括りブロック
３５０：条状布ビーム
３５１：屈折部
４００：脱水円筒
４１０：脱水円筒本体
４１１：収容空間
４１２：組付空間
４１３：仕切子
４１４：脱水開口
４１５：洗濯開口
４２０：支持台座
４３０：ハンドル
４４０：水遮り板
４５０：保護リング
５００：支持軸部材
５１０：支持軸
５１１：支持玉
６００：脱水篭
７００：ロック機構
７１０：ロック子
７２０：ロックスリーブ
８００：伝動部材
８１０：規制子
８１１：貫通孔
８１２：規制収容チェンバー
８１３：摩擦連動面
８２０：方向ガイド具
８２１：螺旋状穴
８２２：方向ガイド工作面
８３０：摩擦伝動子
８３１：伝動貫通孔
８３２：上摩擦面
８３３：底摩擦面
ＡＸ１：回転軸
Ｄ１：延び方向、押下げ方向
Ｄ３：引上げ方向
Ｌ１：離間距離
Ｒ１：回転方向
【産業上の利用可能性】
【００５８】
本考案は、モップに適用することができる。
【図１】
0003167763.tif 000003
【図２】
0003167763.tif 000004
【図３】
0003167763.tif 000005
【図４】
0003167763.tif 000006
【図５】
0003167763.tif 000007
【図６】
0003167763.tif 000008
【図７】
0003167763.tif 000009
【図８】
0003167763.tif 000010
【図９】
0003167763.tif 000011
【図１０】
0003167763.tif 000012
【図１１】
0003167763.tif 000013
【図１２】
0003167763.tif 000014
【図１３】
0003167763.tif 000015
【手続補正書】
【提出日】平成23年3月3日(2011.3.3)
【手続補正１】
【補正対象書類名】明細書
【補正対象項目名】０００７
【補正方法】変更
【補正の内容】
【０００７】
本考案の回転式モップ組によると、回転式モップと、脱水装置と、を含み、
前記回転式モップは、回転チューブ機構と、握りチューブ機構と、モップヘッドと、を含み、
前記回転チューブ機構は、回転チューブと、前記回転チューブの内側に設けられ螺旋状穴が設けられる伝動部材と、を含み、
前記握りチューブ機構は、前記回転チューブに移動可能に嵌め設けられる握りチューブと、螺旋状ロッドと、を含み、前記螺旋状ロッドは、一端が前記握りチューブに固定され、他端が前記螺旋状穴に貫入して前記回転チューブに挿入され、
前記モップヘッドは、前記回転チューブの下側に枢着され、
前記脱水装置は、脱水円筒と、一端が前記脱水円筒に設けられる支持軸と、脱水篭と、を含み、前記脱水篭は、前記脱水円筒内に設けられ、前記支持軸の他端に設けられ、前記モップヘッドを支持するためのものである回転式モップ組において、
前記脱水篭に前記モップヘッドを置いて前記握りチューブ機構を押下げているときには、前記螺旋状穴により前記螺旋状ロッドが前記伝動部材を駆動して前記伝動部材がある回転方向に回転し、ひいては前記回転チューブ機構と、前記モップヘッドと、前記脱水篭と、が前記回転方向に回転して、遠心力により前記モップヘッドにある水が取り除かれ、
前記握りチューブ機構を引上げているときには、前記螺旋状ロッドは前記伝動部に対する駆動を停止し、前記回転チューブ機構、前記モップヘッド及び前記脱水篭は前記遠心力により前記回転方向に持続に回転することを特徴とする。
【手続補正２】
【補正対象書類名】実用新案登録請求の範囲
【補正対象項目名】請求項２
【補正方法】変更
【補正の内容】
【請求項２】
回転式モップと、脱水装置と、を含み、
前記回転式モップは、回転チューブ機構と、握りチューブ機構と、モップヘッドと、を含み、
前記回転チューブ機構は、回転チューブと、前記回転チューブの内側に設けられ螺旋状穴が設けられる伝動部材と、を含み、
前記握りチューブ機構は、前記回転チューブに移動可能に嵌め設けられる握りチューブと、螺旋状ロッドと、を含み、前記螺旋状ロッドは、一端が前記握りチューブに固定され、他端が前記螺旋状穴に貫入して前記回転チューブに挿入され、
前記モップヘッドは、前記回転チューブの下側に枢着され、
前記脱水装置は、脱水円筒と、一端が前記脱水円筒に設けられる支持軸と、脱水篭と、を含み、前記脱水篭は、前記脱水円筒内に設けられ、前記支持軸の他端に設けられ、前記モップヘッドを支持するためのものである回転式モップ組において、
前記脱水篭に前記モップヘッドを置いて前記握りチューブ機構を押下げているときには、前記螺旋状穴により前記螺旋状ロッドが前記伝動部材を駆動して前記伝動部材がある回転方向に回転し、ひいては前記回転チューブ機構と、前記モップヘッドと、前記脱水篭と、が前記回転方向に回転して、遠心力により前記モップヘッドにある水が取り除かれ、
前記握りチューブ機構を引上げているときには、前記螺旋状ロッドは前記伝動部に対する駆動を停止し、前記回転チューブ機構、前記モップヘッド及び前記脱水篭は前記遠心力により前記回転方向に持続に回転することを特徴とする回転式モップ組。